(57)【要約】【課題】  組み立てが簡単で、軽量かつ適切な強度を有する板紙またはプラスチック板の組み立て構造、箱ケース、組み立て式立体物等を提供すること。【解決手段】本発明は、２枚の板紙等の両端を嵌め合わせして結合する構造において、一方側板紙３１は端縁に突出した差し込み片Ａ（符号３１１）と該差し込み片Ａの基部から離隔した位置に、前記端縁に平行であるスリットＢ（符号３１２）を有する構成とし、他方側板紙３２は端縁から離隔した位置に、端縁に平行な折り線Ｃを中抜き直線状に形成し、該折り線を軸として開閉する扉形状３３を打ち抜きした構成とし、差し込み片Ａを他方側板紙の裏面側から扉形状３３の打ち抜き跡部Ｅ（符号３２５）に差し込みし、扉形状の打ち抜き部の先端を一方側板紙の前記スリットＢに表面側から折り線Ｃ部分まで差し込みして結合する構造とするものである。組み立て式立体物は、この結合構造を利用したものである。【選択図】  図３
2010241433.tif 000002
【特許請求の範囲】
【請求項１】
２枚の板紙またはプラスチック板の両端を嵌め合わせして結合する構造において、該両端の板紙またはプラスチック板のうち、一方側板紙またはプラスチック板は端縁に突出した長さａ、幅ｂの差し込み片Ａと該差し込み片Ａの基部から距離ｃ離隔した位置に、前記端縁に平行である長さｄのスリットＢを有する構成とし、他方側板紙またはプラスチック板は端縁から距離ｆ離隔した位置に、端縁に平行な折り線Ｃを中央部分を除く中抜き直線状に形成し、該折り線Ｃを軸として開閉する軸部の長さｄである扉形状を、前記折り線Ｃの形成されない中抜き部の上端と下端を始点として打ち抜きした構成とし、前記差し込み片Ａを前記他方側板紙またはプラスチック板の裏面側から前記扉形状の打ち抜き跡部Ｅに差し込みし、扉形状の先端Ｄを前記一方側板紙またはプラスチック板の前記スリットＢに表面側から折り線Ｃ部分まで差し込みして結合する構造としたことを特徴とする板紙またはプラスチック板の結合構造。
【請求項２】
前記扉形状が、その先端Ｄの長さが回転軸部の長さｄと同等である「コ」の字状であるか、先端Ｄの長さが軸部の長さｄよりも短い凸形状であることを特徴とする請求項１記載の板紙またはプラスチック板の結合構造。
【請求項３】
他方側板紙またはプラスチック板の端縁付近の裏面と、一方側板紙またはプラスチック板と他方側板紙またはプラスチック板とを嵌め合わせて結合した際に他方側板紙またはプラスチック板の端縁付近に対応する一方側板紙またはプラスチック板の表面に、相互に係合する面ファスナーまたは両面粘着テープを貼付したことを特徴とする請求項１または請求項２記載の板紙またはプラスチック板の結合構造。
【請求項４】
一方側板紙またはプラスチック板の他方側板紙またはプラスチック板の端縁が重なる位置に、他方側板紙またはプラスチック板の端縁を差し込むスリットＦを設けたことを特徴とする請求項１ないし請求項３のいずれか１の請求項記載の板紙またはプラスチック板の結合構造。
【請求項５】
スリットＢと打ち抜き跡部Ｅが板紙またはプラスチック板の厚みに相当する溝幅に形成されていることを特徴とする請求項１ないし請求項４のいずれか１の請求項記載の板紙またはプラスチック板の結合構造。
【請求項６】
板紙または段ボールからなり全体が中空の箱体の少なくとも１の面において、平面な２枚の板紙または段ボールの両端を嵌め合わせて結合した組み立て式箱ケースにおいて、該両端の板紙または段ボールのうち、一方側板紙または段ボールは端縁に突出した長さａ、幅ｂの差し込み片Ａと該差し込み片Ａの基部から距離ｃ離隔した位置に、前記端縁に平行である長さｄのスリットＢを有する構成とし、他方側板紙または段ボールは端縁から距離ｆ離隔した位置に、端縁に平行な折り線Ｃを中央部分を除く中抜き直線状に形成し、該折り線Ｃを軸として開閉する軸部の長さｄである扉形状を、前記折り線Ｃの形成されない中抜き部の上端と下端を始点として打ち抜きした構成とし、前記差し込み片Ａを前記他方側板紙または段ボールの裏面側から前記扉形状の打ち抜き跡部Ｅに差し込みし、扉形状の先端Ｄを前記一方側板紙または段ボールの前記スリットＢに表面側から折り線Ｃ部分まで差し込みして結合する構造としたことを特徴とする組み立て式箱ケース。
【請求項７】
前記扉形状が、その先端Ｄの長さが回転軸部の長さｄと同等である「コ」の字状であるか、先端Ｄの長さが軸部の長さｄよりも短い凸形状であることを特徴とする請求項６記載の組み立て式箱ケース。
【請求項８】
他方側板紙または段ボールの端縁付近の裏面と、一方側板紙または段ボールと他方側板紙または段ボールとを嵌め合わせて結合した際に他方側板紙または段ボールの端縁付近に対応する一方側板紙または段ボールの表面に、相互に係合する面ファスナーまたは両面粘着テープを貼付したことを特徴とする請求項６または請求項７記載の組み立て式箱ケース。
【請求項９】
一方側板紙または段ボールの他方側板紙または段ボールの端縁が重なる位置に、他方側板紙または段ボールの端縁を差し込むスリットＦを設けたことを特徴とする請求項６ないし請求項８のいずれか１の請求項記載の組み立て式箱ケース。
【請求項１０】
スリットＢと打ち抜き跡部Ｅが板紙または段ボールの厚みに相当する溝幅に形成されていることを特徴とする請求項６ないし請求項９のいずれか１の請求項記載の組み立て式箱ケース。
【請求項１１】
板紙からなり全体が中空柱状体の立体物の表面側広告面を、半円柱状、半楕円柱状、多角柱状、かまぼこ形状のいずれかとし、裏面を平面とし、該裏面において平面な板紙の両端を嵌め合わせて結合した組み立て式立体物において、該両端の板紙のうち、一方側板紙は端縁に突出した長さａ、幅ｂの差し込み片Ａと該差し込み片Ａの基部から距離ｃ離隔した位置に、前記端縁に平行である長さｄのスリットＢを有する構成とし、他方側板紙は端縁から距離ｆ離隔した位置に、端縁に平行な折り線Ｃを中央部分を除く中抜き直線状に形成し、該折り線Ｃを軸として開閉する軸部の長さｄである扉形状を、前記折り線Ｃの形成されない中抜き部の上端と下端を始点として打ち抜きした構成とし、前記差し込み片Ａを前記他方側板紙の裏面側から前記扉形状の打ち抜き跡部Ｅに差し込みし、扉形状の先端Ｄを前記一方側板紙の前記スリットＢに表面側から折り線Ｃ部分まで差し込みして結合する構造としたことを特徴とする組み立て式立体物。
【請求項１２】
裏面の板紙が表面側板紙をその左右両端部で折り曲げした１枚の連続した板紙であるか、または表面側板紙の左右両端部の双方または片方に接着した１枚または２枚の平面な板紙からなるものかのいずれかであることを特徴とする請求項１１記載の組み立て式立体物。
【請求項１３】
前記扉形状が、その先端Ｄの長さが回転軸部の長さｄと同等である「コ」の字状であるか、先端Ｄの長さが軸部の長さｄよりも短い凸形状であることを特徴とする請求項１１または請求項１２記載の組み立て式立体物。
【請求項１４】
他方側板紙の端縁付近の裏面と、一方側板紙と他方側板紙とを嵌め合わせて結合した際に他方側板紙の端縁付近に対応する一方側板紙の表面に、相互に係合する面ファスナーまたは両面粘着テープを貼付したことを特徴とする請求項１１ないし請求項１３のいずれか１の請求項記載の組み立て式立体物。
【請求項１５】
一方側板紙の他方側板紙の端縁が重なる位置に、他方側板紙の端縁を差し込むスリットＦを設けたことを特徴とする請求項１１ないし請求項１４のいずれか１の請求項記載の組み立て式立体物。
【請求項１６】
スリットＢと打ち抜き跡部Ｅが板紙の厚みに相当する溝幅に形成されていることを特徴とする請求項１１ないし請求項１５のいずれか１の請求項記載の組み立て式立体物。
【請求項１７】
組み立て式立体物の上端または下端の開口部を塞ぐ折り畳み式蓋板および底板を設け、蓋板および底板の先端を面ファスナーで表面側板紙の裏面に固定するようにしたことを特徴とする請求項１１ないし請求項１６のいずれか１の請求項記載の組み立て式立体物。
【請求項１８】
組み立て式立体物を柱状体の長さ方向に２段または３段の積み重ね構造としたことを特徴とする請求項１１ないし請求項１７のいずれか１の請求項記載の組み立て式立体物。
【請求項１９】
板紙に替えて段ボールまたは屈曲性があるプラスチック板を使用することを特徴とする請求項１１ないし請求項１８のいずれか１の請求項記載の組み立て式立体物。
【発明の詳細な説明】
【技術分野】
【０００１】
本発明は、板紙またはプラスチック板の結合構造と組み立て式立体物、箱ケースに関する。
商品の販売促進を図るための店頭用ツールとして、商品の広告が印刷された広告板や立体物が知られている。一般にこのような立体物としては、軽量なスチレンボードや厚板紙を組み立てたもの等が用いられている。平面なものよりは立体物が注目を集め易いことから、簡単に組み立てできる立体構造の広告物が従来から求められている。
本発明は、そのような組み立てに使用する板紙またはプラスチック板の結合構造と組み立て式立体物、および当該組み立て構造を利用した箱ケースに関するものである。
以下、主として組み立て式広告用立体物を例として本発明を説明する。
【背景技術】
【０００２】
立体的広告用具の一般的要求としては、アイキャッチ効果が高いこと、製造コストが安価であること、組み立て作業が簡単で組み立て後の強度が高いこと、占有スペースが小さいこと、等が挙げられる。広告面が平面的なボードに比較して立体的広告物は、形態的な目新しさを加味されることから注目を集め易い。
その反面、立体物の構成が複雑化する傾向があるほか、製造コストが高くなったり、組み立て作業が煩雑化する問題がある。また、組み立て強度が弱かったり、逆に組み立て後に組み立て前の平面な状態に戻すことが困難になる問題もあった。
【０００３】
そこで、本発明は厚板紙またはプラスチック板を使用する立体的な組み立て式立体物において、組み立てが簡単であり、組み立後の強度が高い構造を検討するものである。
また、従来の段ボール箱等は、上面の蓋板が自由端になっているため、両側面から双方の蓋板の自由端部を突き合わせて、その突き合わせ面を粘着テープで接着する必要があった。このため、外観が低下するのみならず、粘着テープを剥離した後は、紙層が破壊されるので、段ボール箱の再使用を困難にする問題があった。
【０００４】
本発明に関連する先行特許文献について検討する。特許文献１は、広告体に関するが、段ボール製のスタンドに、平面的な人形ＰＯＰ等の広告体パネルを設置したもので、本願と直接の関係はない。特許文献２は、可撓性を有する平面状の２枚のシートを凸状に湾曲させて立体的に構成した点で、本願と僅かに共通する点があるが、本願のような組み立て構造を有するものではない。
【先行技術文献】
【特許文献】
【０００５】
【特許文献１】特開２００３−２２８２９３号公報
【特許文献２】特開２００４−  ７７６３１号公報
【発明の概要】
【発明が解決しようとする課題】
【０００６】
従来からの板紙やプラスチック板を使用した立体物は、板紙またはプラスチック板を各々の部品に裁断し、各部品を糊付け接着して組み立て加工するものが主体であった。
従って、組み立て材料を各掲示箇所に搬送してから組み立てることは困難であり、製造元で最終形態まで加工することが必要であった。このため、立体形状となった後の輸送はコストがかかると共に立体物を壊さないで安全に輸送するのも困難であった。
また、一部組み立て構造のものも散見されるが、組み立てた後の構造が頑丈ではないため、使用中に形状が変形したりする問題があった。またいずれも、組み立てを簡単に解除して再度格納したりすることはできない構造になっていた。
本発明は、板紙やプラスチック板の従来技術にない組み立て結合構造を採用するので、組み立てた後の構造が頑丈であると共に、一旦、組み立てした後も、組み立てを解除して再度格納することも可能とし、これらの課題を解決するものである。
【課題を解決するための手段】
【０００７】
上記の目的を達成する本発明の要旨の第１は、２枚の板紙またはプラスチック板の両端を嵌め合わせして結合する構造において、該両端の板紙またはプラスチック板のうち、一方側板紙またはプラスチック板は端縁に突出した長さａ、幅ｂの差し込み片Ａと該差し込み片Ａの基部から距離ｃ離隔した位置に、前記端縁に平行である長さｄのスリットＢを有する構成とし、他方側板紙またはプラスチック板は端縁から距離ｆ離隔した位置に、端縁に平行な折り線Ｃを中央部分を除く中抜き直線状に形成し、該折り線Ｃを軸として開閉する軸部の長さｄである扉形状を、前記折り線Ｃの形成されない中抜き部の上端と下端を始点として打ち抜きした構成とし、前記差し込み片Ａを前記他方側板紙またはプラスチック板の裏面側から前記扉形状の打ち抜き跡部Ｅに差し込みし、扉形状の先端Ｄを前記一方側板紙またはプラスチック板の前記スリットＢに表面側から折り線Ｃ部分まで差し込みして結合する構造としたことを特徴とする板紙またはプラスチック板の結合構造、にある。
【０００８】
上記の目的を達成する本発明の要旨の第２は、板紙または段ボールからなり全体が中空の箱体の少なくとも１の面において、平面な２枚の板紙または段ボールの両端を嵌め合わせて結合した組み立て式箱ケースにおいて、該両端の板紙または段ボールのうち、一方側板紙または段ボールは端縁に突出した長さａ、幅ｂの差し込み片Ａと該差し込み片Ａの基部から距離ｃ離隔した位置に、前記端縁に平行である長さｄのスリットＢを有する構成とし、他方側板紙または段ボールは端縁から距離ｆ離隔した位置に、端縁に平行な折り線Ｃを中央部分を除く中抜き直線状に形成し、該折り線Ｃを軸として開閉する軸部の長さｄである扉形状を、前記折り線Ｃの形成されない中抜き部の上端と下端を始点として打ち抜きした構成とし、前記差し込み片Ａを前記他方側板紙または段ボールの裏面側から前記扉形状の打ち抜き跡部Ｅに差し込みし、扉形状の先端Ｄを前記一方側板紙または段ボールの前記スリットＢに表面側から折り線Ｃ部分まで差し込みして結合する構造としたことを特徴とする組み立て式箱ケース、にある。
【０００９】
上記の目的を達成する本発明の要旨の第３は、板紙からなり全体が中空柱状体の立体物の表面側広告面を、半円柱状、半楕円柱状、多角柱状、かまぼこ形状のいずれかとし、裏面を平面とし、該裏面において平面な板紙の両端を嵌め合わせて結合した組み立て式立体物において、該両端の板紙のうち、一方側板紙は端縁に突出した長さａ、幅ｂの差し込み片Ａと該差し込み片Ａの基部から距離ｃ離隔した位置に、前記端縁に平行である長さｄのスリットＢを有する構成とし、他方側板紙は端縁から距離ｆ離隔した位置に、端縁に平行な折り線Ｃを中央部分を除く中抜き直線状に形成し、該折り線Ｃを軸として開閉する軸部の長さｄである扉形状を、前記折り線Ｃの形成されない中抜き部の上端と下端を始点として打ち抜きした構成とし、前記差し込み片Ａを前記他方側板紙の裏面側から前記扉形状の打ち抜き跡部Ｅに差し込みし、扉形状の先端Ｄを前記一方側板紙の前記スリットＢに表面側から折り線Ｃ部分まで差し込みして結合する構造としたことを特徴とする組み立て式立体物、にある。
【発明の効果】
【００１０】
本発明に係る板紙またはプラスチック板の結合構造は、結合する板紙またはプラスチック板の双方の両端に差し込み片とスリットを設けて、相互に嵌め込みして結合するので、結合した後も平面であって分厚い構造にならない特徴がある。
本発明に係る板紙またはプラスチック板の結合構造は、結合する部材間の引張強度を高くできる。また、結合に接着剤等をしないので結合を解除することが簡単にできる。
本発明に係る箱ケースは、上蓋や底板を粘着テープで接着しなくても、平面的に嵌め合わせして結合できるので、外観を美麗にできると共に、その外観状態を維持して何回でも開けたり閉じたりすることができる。
本発明に係る組み立て式立体物（以下、単に立体物とも記載する。）は、厚板紙やダンボール等の板紙またはプラスチック板からなる中空柱状体であるが、裏面の板紙の両端間が特徴ある嵌め合わせ構造により結合しているので、簡単に組み立てできる方式であるが強固な結合となっている。また、結合に接着剤等をしないので結合を解除することも容易にできる。
本発明に係る立体物は、材料が板紙またはプラスチック板のみからなるから軽量であって、折り畳んで平面な状態にできるので、輸送コストを低減できる。
【図面の簡単な説明】
【００１１】
【図１】本発明に係る組み立て式立体物を示す斜視図である。
【図２】立体物の頭部構造を示す図である。
【図３】裏面側板紙の両端部形状を示す図である。
【図４】裏面側板紙の両端を嵌め合わせして結合する状態を示す図である。
【図５】裏面側板紙の両端を嵌め合わせして結合する状態を示す図である。
【図６】裏面側板紙の組み立て完了後の状態を示す図である。
【図７】他方側板紙の形状を示す詳細図である。
【図８】組み立て式立体物のブランク展開図である。
【図９】本発明の箱ケースを示す図である。
【図１０】箱ケースのブランク展開図である。
【発明を実施するための最良の形態】
【００１２】
図１は、本発明に係る組み立て式立体物を示す斜視図である。
本発明に係る組み立て式立体物１は、広告面である表面側板紙またはプラスチック板２を、半円柱状、半楕円柱状、多角柱状、かまぼこ形状のいずれかとした中空柱状体の立体物である。裏面側板紙３は平面な板紙またはプラスチック板の両端を嵌め合わせして結合した状態になっている。裏面側は、平面を維持するために容易には変形しない強度のある材料を使用するのが好ましい。全体として断面が半円状やかまぼこ断面形状とする場合が多いが、多角形状でもよく特に限定されない。なお、かまぼこ断面形状とは、直線の両端から垂直に立ち上がる２辺の上部間が略半円で結ばれる形状をいうものとする。
【００１３】
図１の場合は、断面が半円形状の中空柱状体を長さ方向に２段接続して使用している。全周囲が板紙やプラスチック板から構成されるので、中空の立体柱状体となる。表面側には広告用絵柄２１等が表示される。この状態で街頭等に立てて使用する。組み立て式立体物１は、中空柱状体の２段重ねに限らず、３段重ねでも良い。２段、３段重ねのものも略同一構造の１段を積み重ねたものなので、以後、１段ものについて説明する。
なお、本発明は、上記のようにプラスチック板にも適用できるものであるが、以降は、主として板紙を使用した場合について説明するものとする。
【００１４】
図２は、立体物の頭部構造を示す図であって、図２（Ａ）は蓋板４を降ろした状態の斜視図、図２（Ｂ）は蓋板４を閉じた状態の平面図、である。
立体物１の上端には開口部を塞ぐ折り畳み式蓋板４が設けられる。蓋板４は基部４１が裏面側板紙３１に接着され、接着部から先が蝶番状に折り曲げ可能にされている。
蓋板４の頂部４２が面ファスナー４２ｆ等で表面側板紙２の内面に固定できるようにされている。蓋板４の面は立体物１の最上端から１〜３ｃｍ下降した位置になるようにすると、立体物１を指で把持して運ぶのに便利となる。
また、図２（Ｂ）のように表面側板紙２とかまぼこ断面形状の蓋板４との間に指を差し込める程度の隙間Ｇを設けることも同様に持ち運びに便利となる。
蓋板４は立体物１の頭部のみならず、底面にも設けることが好ましい。この場合は底板と言ってもよい。蓋板または底板は、立体物が強風等により変形しないようにする力学的構造材料として寄与していることも明らかである。
【００１５】
板紙は全周が一枚の連続した同一板紙で構成されていても良いが、表面側板紙２と裏面側板紙３に異なる材料を使用してもよい。裏面側の１枚のみを異なる材料としてもよく、板紙とプラスチック板を併用してもよい。
図２の場合は、表面側板紙２に対して裏面側板紙３にＢフルートのやや厚みのある段ボールを使用した例を示しており、立体物１の背面の両端で折り曲げした表面側板紙１の内側に裏面側板紙３の一方側板紙３１と他方側板紙３２が接着されている。
２段または３段に積み重ねた場合は、中間部分の蓋板４は省略してもよい。
【００１６】
図３は、裏面側板紙の両端部形状を示す図である。図３のように、一方側板紙３１は、端縁に突出した差し込み片Ａ（符号３１１）を有する。差し込み片Ａの長さをａ、幅をｂとする。差し込み片Ａ（符号３１１）の基部から距離ｃ離隔した位置には、端縁３１ｅに平行に長さｄのスリットＢ（符号３１２）を有する構成としている。
他方側板紙３２は、端縁３２ｅから距離ｆ離隔した位置に、端縁３２ｅに平行な折り線Ｃ（符号３２１）を中央部分を除く中抜き直線状に形成する。また、該折り線Ｃを軸として開閉する軸部の長さｄ、幅ｅである扉形状３３を、前記折り線Ｃの形成されない中抜き部の上端３２１ｕと下端３２１ｄを始点として打ち抜きして形成する。
折り線Ｃ（符号３２１）が中央部分を除く中抜き直線状であるということは、扉形状３３部分には折り線Ｃ（符号３２１）が形成されていないが、その上下部分にのみ折り線Ｃが形成され、折り線Ｃ（符号３２１）全体としては直線状という意味である。従って、扉形状３３は他方側板紙の先端３２ｅ側と一体に、折り線Ｃ（符号３２１）を軸として回転扉のように開閉することになる。開閉とは全回転することではなく、９０°程度は開く意味である。
【００１７】
扉形状３３は、その先端Ｄ（符号３２４）の長さが回転軸部の長さｄと同等である「コ」の字状であるか、先端Ｄの長さが軸部の長さｄよりも短い略凸形状であるようにする。すなわち、「コ」の字状とは軸部の長さｄと扉形状の先端Ｄ（符号３２４）が同寸のことをいい、略凸形状とは、扉形状の先端Ｄ（符号３２４）が軸部の長さｄよりも短い寸法であることを意味している。
扉形状３３は先端Ｄ（符号３２４）はスリットＢ（符号３１２）に差し込みされるが、開閉軸部の長さｄが、スリットＢの長さよりも長いと、扉形状３３の付け根までスリットＢ（符号３１２）に差し込みできなくなるのは明らかである。一方、スリットＢの長さが開閉軸部の長さｄよりも長過ぎるとしっかりした嵌め込みができなくなる。
他方側板紙３２の先端３２ｅ近くの裏面には、面ファスナーまたは両面粘着テープ３２６が貼着されており、一方側板紙３１の対応する位置の表面にも、相互に係合する面ファスナーまたは両面粘着テープ３１６が貼着されている。これにより双方の板紙面間を開閉自在に固定できる。
【００１８】
次に、組み立て式立体物１の組み立て工程を、図４〜図６を参照して説明する。
まず、図４のように、扉形状の先端Ｄ（符号３２４）を折り線Ｃ（符号３２１）でおり曲げてスリットＢ（符号３１２）に差し込みするように接近させる。このとき、差し込み片Ａ（符号３１１）も、図４では良く見えないが、扉形状の先端Ｄの打ち抜き跡部Ｅ（符号３２５）に接近している。
【００１９】
次に、図５（Ａ）のように、扉状形３３の先端Ｄ（符号３２４）をスリットＢ（符号３１２）に差し込みする。スリットＢ（符号３１２）は板紙３２の紙厚を通せる溝幅にカットされているので、扉形状３３は、その付け根（折り線Ｃの延長部）まで差し込まれる。同時に、差し込み片Ａ（符号３１１）は、扉状３３の先端Ｄの打ち抜き跡部Ｅ（符号３２５）に、その付け根（一方側板紙３１の先端３１ｅ）まで差し込まれる。
扉形状３３の先端Ｄが、スリットＢ（符号３１２）の先端に達し、差し込み片Ａ（符号３１１）がその付け根まで差し込まれた際の断面形状（図５（Ａ）の矢印ｙから見た図）は、図５（Ｂ）のように、長さｅを２辺とする二等辺三角形であるが正三角形を形成するようにするのが組み立てを容易にする。
【００２０】
図６は、裏面板紙の組み立て完了後の状態を示す図である。扉形状３３と差し込み片Ａ（符号３１１）の双方を付け根まで差し込みし、他方紙板紙３２の先端３２ｅの裏面の面ファスナー３２６と一方側板紙３１の表面の面ファスナー３１６とを係合させると双方の板紙は平面な状態になり強固な結合を得ることができる。
面ファスナー等を用いずに、別のスリットＦ（符号３１９）を、一方側板紙３１に設けて先端部３２ｅを差し込みするようにしてもよい。
【００２１】
図７は、他方側板紙の形状を示す詳細図である。図７（Ａ）は折り線Ｃ（符号３２１）と扉形状３３を打ち抜いた後の状態を示し、図７（Ｂ）は折り線Ｃを開閉軸として扉形状３３と他方側板紙の先端３２ｅとを一体に９０°開いた状態を示している。
扉形状３３側が紙面の背後になり先端３２ｅが紙面の手前側に立ち上がることになる。折り線Ｃ（符号３２１）は他方側板紙３２を紙面の手前側から押し付けて形成するので、この方向にのみ開く。
扉形状３３を打ち抜いた後の先端Ｄの部分には、打ち抜き跡部Ｅが形成されている。この打ち抜き跡部Ｅの先端（破線と実践で囲まれた部分）Ｋがスリットの役割をするので、一方側板紙３１の差し込み片Ａの厚みを通すことができるように全体として細長い矩形状に形成される。すなわち、スリットＢと同様に打ち抜き跡部Ｅの先端Ｋも板紙またはプラスチック板の厚みに相当する溝幅に形成される。
【００２２】
図８は、組み立て式立体物のブランク展開図である。図中、破線は折り曲げ線である。  図８は、２段重ねの組み立て式立体物１を作る場合の例であり、表面側板紙２と裏面側板紙３がそれぞれ２セット準備される。
表面側板紙２の糊代２７部分に一方側板紙３１が、糊代２８部分に他方側板紙３２が接着される。蓋板４は底板用との２枚であり、２段の中間部分は省略した形態である。
表面側板紙２の上下段間は、糊代２９により接着されるが、裏面側板紙３の上下段間は接着しなくてもよい。裏面側板紙３の上下段間に開口３７，３８を設けることにより、積み重ねた段間に指を差し込みでき、組み立て式立体物１の持ち運びが便利となる。
蓋板４は、糊代４５，４６を表面側板紙２の内面に接着する。蓋板４の開閉を容易にするため、折り曲げ部分に細い溝４３，４４を打ち抜きする。蓋板４の頂部には面ファスナー４２ｆ等を貼着する板部分４７，４８を形成する。当該板部分４７，４８を蓋板４の下方側に折り曲げて、表面側板紙２の内面の面ファスナー等に固定する。
【００２３】
図９は、本発明の箱ケースを示す図である。本発明の箱ケース（段ボール箱）５は、箱ケース５を開閉する上面および／または底面に、本発明の板紙またはプラスチック板の結合構造が採用されている。図９の場合は、段ボール箱５の上面の一方側板紙５１に差し込み片Ａ（符号５１１）とスリットＢ（符号５１２）が形成され、他方側板紙５２に扉形状５３３とその先端５２４、および打ち抜き跡部５２５が形成されている。
これらの詳細な構造は、前述した組み立て式立体物１と同様である。扉形状５３３の先端５２４は打ち抜いた形状から平行に５〜１０ｍｍ切断してもよい。面ファスナーや両面接着テープ５１６，５２６を同様に使用することができる。底面側にも上記結合構造を採用してもよいものである。
また、段ボール箱に限らず板紙ケースに利用できることは明らかである。板紙ケースの場合は、ケーキ用の箱や贈答箱等に好適に用いることができる。
本発明に係る箱ケースは、上蓋や底板を粘着テープで接着しなくても、平面的に嵌め合わせして結合できるので、外観を美麗にできると共に、その外観状態を維持して何回でも開けたり閉じたりすることができる。
【００２４】
図１０は、箱ケースのブランク展開図である。図中、破線は折り曲げ線である。
箱ケース５は、上面にのみ結合構造を有する例である。箱ケース５の側面は側面板５３〜５６からなり、底面は底板５７，５８とフラップ５７ｆ，５８ｆからなっている。  また、上面は、前記一方側板紙５１と他方側板紙５２、およびフラップ５１ｆ，５２ｆからなっている。側面板には糊代５９を有している。
図１０では、一方側板紙５１は、ほぼ上面の全体を覆う大きさになっているので、嵌め合わせが箱の一方側に寄る構造になるが、中央で嵌め合わせる構造にしてもよい。
【００２５】
＜材質に関する実施形態＞
板紙材料としては、３００ｇ／ｍ2 〜５００ｇ／ｍ2 程度のものを使用できる。組み立て式立体物の場合、裏面側板紙は、立体物全体を支持する骨格部材となるので、表面側よりは強度のある材料の使用が好ましい。
段ボールの場合は、Ａフルート（段数３４±２／３０ｃｍ、高さ４．５ｍｍ）、Ｂフルート（段数５０±２／３０ｃｍ、高さ２．８ｍｍ）、Ｃフルート（段数９４±２／３０ｃｍ、高さ１．２ｍｍ）、Ｗフルート（Ａ段とＢ段を重ねたもの）、片面段ボール、両面段ボール等があり、これらを適宜使用できる。
【００２６】
プラスチック板を使用する場合は、ポリエチレンテレフタレート（ＰＥＴ）板やポリプロピレン板、ポリエチレン板や硬質の塩化ビニル板等を使用できる。厚みは打ち抜き加工や折り線加工が容易にできる、０．０５ｍｍから０．５ｍｍ程度のものを使用する。
【実施例１】
【００２７】
組み立て式立体物１の表面側板紙２として、ハイパールのＬ判／３９．５ｋｇを使用し、裏面側板紙としてＢフルートの段ボールを使用した。
表面側板紙２の広告用絵柄面が全長４２８ｍｍとなるようにし、その両端に２５ｍｍ幅の糊代部２７，２８を設けた。１段の高さを３５０ｍｍとし、２段重ねで７００ｍｍの高さの立体物１になるようにした（図８参照）。
一方側板紙３１の差し込み片Ａ（符号３１１）は、長さａが９７．２ｍｍ、幅ｂが３０．８ｍｍ、スリットＢ（符号３１２）の長さｄが１１５．６ｍｍ、差し込み片Ａの基部からの距離ｃ（図３参照）は３８．５ｍｍ程度となるようにし、他方側板紙３２の扉形状の軸部の長さｄを１１５．６ｍｍ、扉形状の先端Ｄ（符号３２４）の長さが９７．２ｍｍになるようにした。また、軸部から扉の先端までの長さｅは、４１．５ｍｍとなった。
【００２８】
このブランクを組み立て（一部接着）し、図１に図示するような立体物１を完成した。立体物１は、立体形状であることと、前面が曲面であることから広角的に人目を引き付け易い効果を有していた。また、展示完了後に結合部を解除して平面状態に戻すのも容易であった。
【実施例２】
【００２９】
組み立て式立体物１の表面側板紙２として、ハイパールのＬ判／３９．５ｋｇを使用し、裏面側プラスチック板として、０．８ｍｍ厚のポリエチレンテレフタレート（ＰＥＴ）板を使用した。この両者の材料を実施例１と同一の寸法で打ち抜きし、ブランクを形成した。表面側板紙２と裏面側ＰＥＴシートとの間は、接着剤で接着した。
このブランクを組み立てし、図１に図示するような立体物１を完成した。ＰＥＴ板の場合も嵌め込みが容易であり、強い結合構造が得られた。
【実施例３】
【００３０】
箱ボール箱５として、Ｂフルートを用いて、この材料を実施例１と同一の形態で、段ボール箱を開閉する上面の結合構造に用いた、段ボール箱５の４側面および底面は、図１０のブランク板のように従来構造を採用した。
【００３１】
本発明の板紙またはプラスチック板の結合構造については、特別に実施例を記載していないが、上記組み立て式立体物１の説明および実施例１〜実施例３中に十分に開示されていると考える。
【産業上の利用可能性】
【００３２】
本発明の板紙またはプラスチック板の結合構造は、平面な板紙またはプラスチック板相互間を接着剤等を使用しないで、しかも平面状態で分厚い構造にならないように結合できること、および結合を解除することが可能で反復利用性があることから、今後多方面の技術分野で利用可能となるものである。
【符号の説明】
【００３３】
１  組み立て式立体物
２  表面側板紙
３  裏面側板紙
４  蓋板
５  箱ケース、段ボール箱
３１  一方側板紙
３２  他方側板紙
３３  扉形状
【図１】
2010241433.tif 000003
【図２】
2010241433.tif 000004
【図３】
2010241433.tif 000005
【図４】
2010241433.tif 000006
【図５】
2010241433.tif 000007
【図６】
2010241433.tif 000008
【図７】
2010241433.tif 000009
【図８】
2010241433.tif 000010
【図９】
2010241433.tif 000011
【図１０】
2010241433.tif 000012